(57)【要約】  イオントフォレーシス装置は、作用側電極構造体及び対向電極構造体を包含する。作用側電極構造体は、作用側電極要素及び少なくとも２つの横方向に離間された活性物質貯留槽を包含する。作用側電極構造体は、活性物質及び最外部イオン選択膜の外表面により担持されるさらなる活性物質を貯蔵する最外部イオン選択膜も包含し得る。作用側電極構造体はまた、電解質を貯留する電解質貯留槽並びに電解質貯留槽と活性物質との間に配置される内部イオン選択膜も包含し得る。活性電極は、電解質貯留槽と活性物質との間に内部除去可能封止ライナーも包含し得る。外部リリースライナーは、使用前にさらなる活性物質及び／又は外表面を保護的に被覆するか、上に重なり得る。作用側電極構造体は、脱水化活性物質を選択的に水和するための少なくとも２つの水和剤のブリスターパックも包含し得る。【選択図】  図５
2009509691.tif 000002
【特許請求の範囲】
【請求項１】
生体の生体界面に活性物質を送達するように動作可能なイオントフォレーシス装置であって、
作用側電極構造体であって、使用中に生体界面に近位に存在すべき活性電極の外側に露出する接触面と、第一の電位を印加するために動作可能である作用側電極要素と、第一の活性物質を貯留することができる第一の活性物質貯留槽と、第二の活性物質を貯留することができる少なくとも１つの第二の活性物質貯留槽と、生体界面と界面を形成するためのイオントフォレーシス装置の外部に露出し、該第一の活性物質及び該第二の活性物質の極性と一致する第一の極性を有するイオンにより実質的に透過可能であり、そして該第一の極性と逆の第二の極性を有するイオンにより実質的に透過不可能である最外部イオン選択膜とを備え、該第一の活性物質貯留槽及び該第二の活性物質貯留槽の少なくとも一部分が該最外部イオン選択膜中に形成されており、該第二の活性物質貯留槽が該第一の活性物質貯留槽から前記接触面とほぼ平行な平面で横方向に離間し、前記第一の電位の印加に応答して該第一の活性物質及び該第二の活性物質の少なくともいくつかを前記イオントフォレーシス装置から前記生体界面に各々能動的に移送ように少なくとも該第一の活性物質貯留槽及び該第二の活性物質貯留槽が前記作用側電極要素に対して配置される、作用側電極構造体、並びに
前記作用側電極構造体から横方向に離間された対向電極構造体であって、前記第一の電位とは異なる第二の電位を印加するために動作可能である対向電極要素を包含し、対向電極構造体
を包含するイオントフォレーシス装置。
【請求項２】
前記作用側電極構造体が前記作用側電極要素と前記第一及び前記第二の活性物質貯留槽との間に配置される電解質並びに該電解質と該第一及び前記第二の活性物質貯留槽との間に配置される内部イオン選択膜をさらに包含し、該内部イオン選択膜が選択的に前記第二の極性を有するイオンにより実質的に透過可能であり、そして前記第一の極性を有するイオンにより実質的に透過不可能である、請求項１に記載のイオントフォレーシス装置。
【請求項３】
前記作用側電極構造体が前記電解質と前記第一及び前記第二の活性物質貯留槽との間に取り外し可能に配置される内部封止ライナーをさらに包含する、請求項２に記載のイオントフォレーシス装置。
【請求項４】
使用前に前記第一の活性物質及び前記第二の活性物質を被覆する外部リリースライナーをさらに包含する、請求項１に記載のイオントフォレーシス装置。
【請求項５】
前記作用側電極構造体が前記第一の活性物質貯留槽中に貯留される前記第一の活性物質及び前記第二の活性物質貯留槽中に貯留される前記第二の活性物質をさらに包含する、請求項１に記載のイオントフォレーシス装置。
【請求項６】
前記第一の活性物質が一次抗原であり、前記第二の活性物質が該一次抗原とは異なる二次抗原である、請求項５に記載のイオントフォレーシス装置。
【請求項７】
前記作用側電極構造体が第三の活性物質を貯留することができる少なくとも１つの第三の活性物質貯留槽を更に備え、前記第三の活性物質貯留槽は、前記第一及び前記第二の活性物質貯留槽から前記接触面とほぼ平行な平面で横方向に離間しており、前記第三の活性物質貯留槽は、前記第一の電位の印加に応答して該第三の活性物質の少なくともいくつかを前記イオントフォレーシス装置から前記生体界面に能動的に移送するように前記作用側電極要素に対して配置される、請求項１に記載のイオントフォレーシス装置。
【請求項８】
前記第一、前記第二及び前記第三の活性物質が各々前記第一の極性を有する、請求項７に記載のイオントフォレーシス装置。
【請求項９】
生体界面上の少なくとも２つの異なる領域に活性物質を送達するように動作可能な活性物質送達システムであって、
第一の電位を提供するように動作可能な作用側電極要素、並びに
少なくとも２つの収容部を有する保持構造であって、該収容部の各々がそれぞれの活性物質貯留槽をしっかり受容するように構成され、前記活性物質送達システムが使用中である場合、前記収容部が生体表面上のそれぞれ対応する異なる領域の上に重なるように互いに対して横方向に離間され、該収容部の各々が少なくとも部分的に前記作用側電極要素の下に重なっている保持構造
からなる活性物質送達システム。
【請求項１０】
前記収容部の第一のものの中に挿入可能に取り付けられるように構成された第一の活性物質貯留槽、並びに
前記収容部の第二のものの中に挿入可能に取り付けられるように構成された少なくとも１つの第二の活性物質貯留槽
をさらに包含する、請求項９に記載の活性物質送達システム。
【請求項１１】
前記第一の活性物質貯留槽中に貯留され、そして起電力又は電流の非存在下でその中に実質的に保持され、起電力又は電流の存在下で外部に移送される第一の極性を有する少なくとも１つの第一の活性物質、並びに
前記第二の活性物質貯留槽中に貯留され、そして起電力又は電流の非存在下でその中に実質的に保持され、起電力又は電流の存在下で外部に移送される第一の極性を有する少なくとも１つの第二の活性物質
をさらに包含する、請求項１０に記載の活性物質送達システム。
【請求項１２】
前記第一の活性物質及び前記第二の活性物質が使用前に脱水化形態である、請求項１１に記載の活性物質送達システム。
【請求項１３】
少なくとも２つの水和剤のブリスターであって、使用のために前記第一の活性物質及び前記第二の活性物質を水和するために信頼性の高い（reputable）前記ブリスターを含むブリスターパックをさらに包含する、請求項１２に記載の活性物質送達システム。
【請求項１４】
前記ブリスターが使用のために少なくとも前記第一の活性物質及び前記第二の活性物質から選択されたものを水和するために選択的に信頼性の高い、請求項１３に記載の活性物質送達システム。
【請求項１５】
前記ブリスターパックが前記収容部に対応して配置可能である、請求項１３に記載の活性物質送達システム。
【請求項１６】
前記ブリスターパックが、使用のために少なくとも前記第一の活性物質及び前記第二の活性物質から選択されるものを水和するように前記収容部に対して選択的に配置可能である、請求項１３に記載の活性物質送達システム。
【請求項１７】
前記保持構造及びブリスターパックが適所に除去可能に取り付けられる、請求項１３に記載の活性物質送達システム。
【請求項１８】
各々が対応する水和剤及び対応する活性物質を担持し、使用のために前記第一及び前記第二の活性物質貯留槽において該活性物質を水和し、装荷する信頼性の高い少なくとも２つのブリスターを含むブリスターパックをさらに包含する、請求項１０に記載の活性物質送達システム。
【請求項１９】
前記ブリスターの第一のものにおける前記活性物質が前記ブリスターの第二のものにおける前記活性物質とは異なる、請求項１８に記載の活性物質送達システム。
【請求項２０】
前記ブリスターの第一のものにおける前記活性物質が一次抗原であり、そして前記ブリスターの第二のものにおける前記活性物質が二次抗原である、請求項１８に記載の活性物質送達システム。
【請求項２１】
前記作用側電極要素と前記活性物質収容部との間に配置される電解質をさらに含む、請求項９に記載の活性物質送達システム。
【請求項２２】
前記活性物質送達システムが使用中である場合、生体界面に接触するように配置される最外部イオン選択膜をさらに含む、請求項９に記載の活性物質送達システム。
【請求項２３】
活性物質送達システムであって、
起電力又は電流を提供するように動作可能である作用側電極要素と
外表面及び前記外表面を通って互いに横方向に離間された少なくとも２つの別個の領域を有する外部イオン選択膜であって、前記別個の領域はそれぞれ孔を有する外部イオン選択膜と、
前記イオン選択膜の別個の領域のそれぞれの孔の中に貯蔵され、そして起電力又は電流の非存在下でその中に実質的に保持され、起電力又は電流の存在下で前記イオン選択膜から外部に移送される第一の極性を有する少なくとも２つの活性物質とを包含する活性物質送達システム。
【請求項２４】
前記外部イオン選択膜が、前記外表面を通って前記他の別個の領域から横方向に離間された少なくとも１つの第三の別個の領域をさらに有し、更に、
前記第三の別個の領域の孔の中に貯蔵され、そして起電力又は電流の非存在下でその中に実質的に保持され、起電力又は電流の存在下で前記イオン選択膜から外部に移送される第一の極性を有する少なくとも１つの第三の活性物質を包含する、請求項２３に記載の活性物質送達システム。
【請求項２５】
少なくとも２つの水和剤のブリスターであって、使用のために前記第一の活性物質及び前記第二の活性物質を水和するために信頼性の高い前記ブリスターを含むブリスターパックをさらに包含する、請求項２４に記載の活性物質送達システム。
【請求項２６】
前記ブリスターが使用のために前記活性物質から選択されたものを水和するために選択的に信頼性が高い、請求項２５に記載の活性物質送達システム。
【請求項２７】
前記ブリスターパックが前記最外部イオン選択膜の別個の部分に対して配置可能である、請求項２６に記載の活性物質送達システム。
【請求項２８】
前記ブリスターパックが、使用のために前記活性物質から選択されたものを水和するための収容部に対して選択的に配置可能である、請求項２６に記載の活性物質送達システム。
【請求項２９】
各々が対応する水和剤及び対応する活性物質を担持し、使用前に前記イオン選択膜の別個の領域の孔において該活性物質を水和し、装荷する信頼性の高い少なくとも２つのブリスターを含むブリスターパックをさらに包含する、請求項１０に記載の活性物質送達システム。
【請求項３０】
前記最外部イオン選択膜がイオン交換膜であり、前記別個の領域の孔がイオン交換物質を含有する、請求項２４に記載の活性物質送達システム。
【発明の詳細な説明】
【技術分野】
【０００１】
本開示は一般的に、イオントフォレーシスの分野に、さらに特定的には起電力の影響下での生体界面への活性物質、例えば治療薬又は薬剤等の活性物質の有効送達に関する。
【０００２】
［関連出願の相互参照］
本出願は、米国特許仮出願第６０／７２２，６７４号（２００５年９月３０日提出）（この仮出願はその全体において参照により本明細書中で援用される）の米国特許法第１１９条（ｅ）項下での利益を主張する。
【背景技術】
【０００３】
イオントフォレーシスは、同様に荷電された活性物質及び／又はそのビヒクルを含有するイオントフォレーシスチャンバに隣接した電極に電位を印加することにより、活性物質（例えば荷電物質、イオン化化合物、イオン性薬剤、治療薬、生体活性物質等）を生体界面（例えば皮膚、粘膜等）に運ぶために起電力及び／又は電流を用いる。
【０００４】
イオントフォレーシス装置は、典型的には、電源、例えば化学電池又は外部電源の反対極又は端子に各々接続される作用側電極構造体及び対向電極構造体を包含する。各電極アセンブリは、典型的には、起電力及び／又は電流を印加するためのそれぞれの電極要素を包含する。このような電極要素はしばしば、犠牲要素又は化合物、例えば銀又は塩化銀を含む。活性物質は陽イオン性又は陰イオン性であり、そして電源は、活性物質の極性に基づいて適切な電圧極性を印加するように構成され得る。イオントフォレーシスは、有益には、活性物質の送達速度を増強するか又は制御するために用いられ得る。活性物質は、貯留槽、例えばキャビティ中に保存され得る（例えば米国特許第５，３９５，３１０号参照）。代替的には、活性物質は、多孔性構造又はゲルのような貯留槽中に保存され得る。イオン交換膜は、活性物質貯留槽と生体界面との間の極性選択的障壁として役立つように配置され得る。典型的には、一の特定の型のイオン（例えば荷電した活性物質）に関してのみ透過性の膜は、皮膚又は粘膜からの逆荷電イオンの逆流を防止する。
【発明の開示】
【発明が解決しようとする課題】
【０００５】
イオントフォレーシス装置の商業的受入れは、種々の因子、例えば製造コスト、保存寿命、貯蔵中の安定性、活性物質送達の効率、操作の安全性、及び処分問題によって変わる。
【０００６】
適正な治療及び／又は診断は、しばしば、生体界面への複数の異なる活性物質の適用を要し得る。例えばアレルギー試験を実施する場合、患者は、各々が生体界面のそれぞれの部分に別個のアレルゲンを送達する多数の注射を受ける。例えば患者は、１回の来診で６〜１２回の別個の注射を受ける場合がある。各アレルゲンは、生体界面で空間的に分配される。一定期間後、医療活動提供者は、各位置での反応を調査する。別の一連の複数回の注射は、以前の一連からの反応が検出されてもされなくても、次いで実施される。このようなアプローチは、患者並びに医療活動提供者の両者にとって時間を要するものである。このようなアプローチは、患者にとって冗長で且つ非常に苦痛を伴うものでもある。付加的には、このようなアプローチは、過剰量の医学的無駄遣い（例えば注射器及び針の消耗、並びにアレルゲン容器の消耗）を生じ、これは、特別な取扱い及び費用の掛かる廃棄を要する。上記問題の少なくともいくつかに取り組む改良型アプローチが望ましい。
【課題を解決するための手段】
【０００７】
一実施の形態によれば、生体の生体界面に活性物質を送達するように動作可能なイオントフォレーシス装置は、使用中である場合、生体界面に近位に存在すべき活性電極の外側に露出する接触面と、第一の電位を印加するために動作可能である作用側電極要素と、第一の活性物質を貯留し得る第一の活性物質貯留槽と、第二の活性物質を貯留し得る少なくとも１つの第二の活性物質貯留槽と、生体界面と界面を形成するためのイオントフォレーシス装置の外部に露出する最外部イオン選択膜（第一の活性物質及び第二の活性物質の極性と一致する第一の極性を有するイオンにより実質的に透過可能であり、そして第一の極性と逆の第二の極性を有するイオンにより実質的に透過不可能であって、第一の活性物質貯留槽及び第二の活性物質貯留槽の少なくとも一部分が最外部イオン選択膜中に形成され、第二の活性物質貯留槽が第一の活性物質貯留槽からの接触面とほぼ平行な平面上に間隔をあけて横方向に配置され、第一の電位の印加に応じて第一の活性物質及び第二の活性物質の少なくともいくつかをイオントフォレーシス装置から生体界面に各々能動的に移すように少なくとも第一の活性物質貯留槽及び第二の活性物質貯留槽が作用側電極要素に関して配置される）とを含む作用側電極構造体、並びに第二の電位を印加するために動作可能である対向電極要素を包含し、第二の電位が第一の電位とは異なる作用側電極構造体から横方向に離間された対向電極構造体を包含する。
【０００８】
一実施の形態によれば、生体界面上の少なくとも２つの異なる領域に活性物質を送達するように動作可能な活性物質送達システムは、第一の電位を提供するように動作可能な作用側電極要素、並びに少なくとも２つの容器を有し、容器の各々がそれぞれの活性物質貯留槽をしっかり受容するように作製され、活性物質送達システムが使用中である場合、容器が生物学的表面上の異なる領域のうちのそれぞれの上に重なるように互いに関して間隔をあけて横方向に配置され、容器の各々が少なくとも部分的に作用側電極要素の根底にある保持構造から成る。
【０００９】
一実施の形態によれば、活性物質送達システムは、起電力又は電流を提供するように動作可能である作用側電極要素、外表面並びに外表面を通って互いに横方向に離間された少なくとも２つの別個の領域を有する外部イオン選択膜（別個の領域はそれぞれ孔を有する）、並びにイオン選択膜の別個の領域のそれぞれの孔の中に貯蔵され、そして起電力又は電流の非存在下でその中に実質的に保持され、起電力又は電流の存在下でイオン選択膜から外側に移される第一の極性を有する少なくとも２つの活性物質を包含する。
【００１０】
添付の図面中では、同一参照番号は類似の要素又は作用を示す。添付の図中の要素のサイズ及び相対位置は、必ずしもスケール通りには描かれていない。例えば、種々の要素の形状及び角度はスケール通りには描かれていないし、これらの要素のいくつかは、添付の図面を見やすくするために随意に拡大され、配置される。さらに、図示される要素の特定の形状は、その特定の要素の実際の形状に関する何らの情報をも伝えるよう意図されておらず、専ら添付の図面中での認識を容易にするために選択されている。
【発明を実施するための最良の形態】
【００１１】
下記において、或る種の特定の詳細は、種々の開示実施形態の十分な理解を提供するために含まれる。しかしながら、実施形態は1つ又は複数のこれらの特定の詳細なしに、或いは他の方法、構成成分、材料等を用いて実行され得ると当業者は認識する。その他の場合、イオントフォレーシス装置に関連した電圧及び／又は電流調整器を含むがこれには限定されない既知の構造物は、実施形態の不必要に曖昧な記述を避けるために詳細に示されても記載されてもいない。
【００１２】
文脈から他の解釈が必要とされない限り、以下の明細書及び添付の特許請求の範囲全体を通して、「含む（comprise）」という語及びその変形、例えば「含む（comprises）」及び「含む（comprising）」は、公然の包括的意味で、「包含するが、限定されない」と解釈されるべきである。
【００１３】
本明細書全体を通して、「一実施形態」又は「１つの実施形態」又は「別の実施形態において」という言及は、実施形態に関連して記載される特定の関連のある特徴、構造又は特質が少なくとも１つの実施形態に包含されるということを意味する。したがって本明細書全体を通して種々の箇所における「一実施形態における」又は「１つの実施形態における」又は「別の実施形態における」という語句の出現は、必ずしもすべてが同一実施形態を指すわけではない。さらに、特定の特徴、構造又は特質は、１つ又は複数の実施形態において任意の好適な態様で組合せられ得る。
【００１４】
本明細書及び添付の特許請求の範囲で用いる場合、単数形「ａ」、「ａｎ」及び「ｔｈｅ」は、状況が明らかにそうでないことを示さない限り、複数の指示物を包含するということに留意すべきである。したがって例えば「電極要素」を含めたイオントフォレーシス装置への言及は、単一電極要素、或いは２つ以上の電極要素を包含する。「又は」という用語は一般的に、はっきりと別記しない限り、「及び／又は」を含めた意味で用いられるということにも留意すべきである。
【００１５】
本明細書中で用いる場合、「膜」という用語は、透過性である場合も、透過性でない場合もある境界、層、障壁、又は物質を意味する。「膜」という用語はさらに、界面を指し得る。別記しない限り、膜は、固体、液体又はゲルの形態をとり得るし、そして明確な格子、非架橋構造又は架橋構造を有しても、有しなくてもよい。
【００１６】
本明細書中で用いる場合、「イオン選択膜」という用語は、イオンに対して実質的に選択性であり、或る種のイオンを通すが、他のイオンの通過を遮断する膜を意味する。イオン選択膜は、例えば電荷選択膜の形態をとり得、又は半透性膜の形態をとり得る。
【００１７】
本明細書中で用いる場合、「電荷選択膜」という用語は、主にイオンにより保有される極性又は電荷に基づき、イオンを実質的に通過及び／又は実質的に遮断する膜を意味する。電荷選択膜は典型的にはイオン交換膜を指し、そしてこれらの用語は、本明細書中で及び添付の特許請求の範囲において互換的に用いられる。電荷選択膜又はイオン交換膜は、陽イオン交換膜、陰イオン交換膜及び／又は両極性膜の形態をとり得る。陽イオン交換膜は、陽イオンの通過を実質的に許容し、そして陰イオンを実質的に遮断する。市販の陽イオン交換膜の例としては、ＮＥＯＳＥＰＴＡ、ＣＭ−１、ＣＭ−２、ＣＭＸ、ＣＭＳ及びＣＭＢ（株式会社トクヤマ）の呼称で入手可能なものが挙げられる。逆に陰イオン交換膜は、陰イオンの通過を実質的に許容し、そして陽イオンを実質的に遮断する。市販の陰イオン交換膜の例としては、ＮＥＯＳＥＰＴＡ、ＡＭ−１、ＡＭ−３、ＡＭＸ、ＡＨＡ、ＡＣＨ及びＡＣＳ（同じく株式会社トクヤマ）の呼称で入手可能なものが挙げられる。
【００１８】
本明細書及び添付の特許請求の範囲で用いる場合、「両極性膜」という用語は、２つの異なる電荷又は極性に対して選択的である膜を意味する。別記しない限り、両極性膜は、一体膜構造、多重膜構造又は積層膜の形態をとり得る。一体膜構造は、陽イオン交換物質又は基を含む第一の部分と、陰イオン交換物質又は基を含む第一の部分と向き合った第二の部分とを包含し得る。多重膜構造（例えば二重皮膜構造）は、陰イオン交換膜に積層されるか又はそうでなければ結合される陽イオン交換膜を含み得る。陽イオン及び陰イオン交換膜は最初に異なる構造物として出発し、そしてその結果生じる両極性膜の構造中でそれらの弁別性を保持し得るか、又は保持し得ない。
【００１９】
本明細書及び添付の特許請求の範囲で用いる場合、「半透性膜」という用語は、イオンのサイズ又は分子量に基づいて実質的に選択的である膜を意味する。したがって半透性膜は、第一の分子量又はサイズのイオンを実質的に通す一方で、第一の分子量又はサイズより大きい第二の分子量又はサイズのイオンの通過を実質的に遮断する。或る実施形態では、半透性膜は、第一の速度で或る分子の通過を許容し、或る他の実施形態では、第一の速度と異なる第二の速度で或る他の分子の通過を許容し得る。さらなる実施形態では、「半透性膜」は或る種の選択された分子のみの通過を許容する選択的透過性膜の形態をとり得る。
【００２０】
本明細書及び添付の特許請求の範囲で用いる場合、「多孔性膜」という用語は、問題のイオンに関して実質的に選択的ではない膜を意味する。例えば多孔性膜は、極性に基づいて実質的に選択的でなく、且つ対象の要素又は化合物の分子量又はサイズに基づいて実質的に選択的でないものである。
【００２１】
本明細書及び添付の特許請求の範囲で用いる場合、「ゲルマトリクス」という用語は、三次元網目構造、固体中の液体のコロイド懸濁液、半固体、架橋ゲル、非架橋ゲル、ゼリー様状態等の形態をとる貯留槽の型を意味する。いくつかの実施形態では、ゲルマトリクスは、絡み合い高分子（例えば円柱状ミセル）の三次元網目構造から生じ得る。いくつかの実施形態では、ゲルマトリクスは、ヒドロゲル、オルガノゲル等を包含し得る。ヒドロゲルは、例えばゲルの形態で実質的に水で構成される架橋親水性ポリマーの三次元網目構造を指す。ヒドロゲルは、正味正電荷又は負電荷を有し得るか、又は中性であり得る。
【００２２】
本明細書及び添付の特許請求の範囲で用いる場合、「貯留槽」という用語は、液体状態、固体状態、気体状態、混合状態及び／又は遷移状態で、要素、化合物、製剤組成物、活性物質等を保有するための任意の形態のメカニズムを意味する。例えば別記しない限り、貯留槽は、一構造物により形成される１つ又は複数のキャビティを含み得るし、そしてこのようなものが少なくとも一時的に要素又は化合物を保有し得る場合には、１つ又は複数のイオン交換膜、半透性膜、多孔性膜及び／又はゲルを含み得る。典型的には、貯留槽は、生体界面への起電力及び／又は電流による生物学的活性物質の放出の前に、このような物質を保有する役割を果たす。貯留槽は、電解質溶液も保有し得る。
【００２３】
本明細書及び添付の特許請求の範囲で用いる場合、「活性物質（active agent）」という用語は、任意の宿主、動物、脊椎動物又は無脊椎動物、例えば魚類、哺乳類、両生類、爬虫類、鳥類及びヒトからの生物学的応答を引き出す化合物、分子又は治療物質を指す。活性物質の例としては、治療用物質、薬学的物質、調合薬（例えば薬剤、治療用化合物、薬学的塩等）、非調合薬（例えば化粧用物質等）、ワクチン、免疫学的作用物質、局所麻酔薬又は全身麻酔薬又は鎮痛剤、抗原又はタンパク質又はペプチド、例えばインスリン、化学療法薬、抗腫瘍薬が挙げられる。
【００２４】
いくつかの実施形態では、「活性物質」という用語はさらに、活性物質、並びにその薬理学的活性塩、薬学的に許容可能な塩、プロドラッグ、代謝産物、類縁体等を指す。いくつかのさらなる実施形態では、活性物質としては、少なくとも１つのイオン性、陽イオン性、イオン化可能及び／又は中性治療薬及び／又はそれらの薬学的に許容可能な塩が挙げられる。さらに他の実施形態では、活性物質は、正に荷電され、及び／又は水性媒質中で正電荷を生じ得る１つ又は複数の「陽イオン性活性物質」を含み得る。例えば多数の生物学的活性物質は、陽性イオンに容易に転化可能であるか又は水性媒質中で正荷電イオン及び対イオンに解離し得る官能基を有する。その他の活性物質は、分極されるか又は分極可能であり、即ち別の部分に比べてある部分で極性を示す。例えばアミノ基を有する活性物質は、典型的には、固体状態でアンモニウム塩形態をとり、そして適切なｐＨの水性媒質中で遊離アンモニウムイオン（ＮＨ４＋）に解離することができる。
【００２５】
「活性物質」という用語は、電気浸透圧流により送達され得る中性の作用物質、分子又は化合物も指す。中性の作用物質は、典型的には、例えば電気泳動中の溶媒の流れにより運ばれる。したがって適切な活性物質の選択は、当業者の知識内である。
【００２６】
いくつかの実施形態において、１つ又は複数の活性物質は、鎮痛薬、麻酔薬、麻酔薬ワクチン、抗生剤、アジュバント、免疫学的アジュバント、免疫原、寛容原、アレルゲン、トル様受容体アゴニスト、トル様受容体アンタゴニスト、免疫アジュバント、免疫調節物質、免疫応答物質、免疫刺激物質、特異的免疫刺激物質、非特異的免疫刺激物質、及び免疫抑制物質、又はこれらの組合せから選択されてもよい。
【００２７】
このような活性物質の非限定的な例としては、リドカイン、アルチカイン及び−カイン群の他のもの、モルヒネ、ヒドロモルホン、フェンタニル、オキシコドン、ヒドロコドン、ブプレノルフィン、メタドン及び同様のオピオイドアゴニスト、コハク酸スマトリプタン、ゾルミトリプタン、ナラトリプタンＨＣｌ、安息香酸リザトリプタン、リンゴ酸アルモトリプタン、コハク酸フロバトリプタン及び他の５−ヒドロキシトリプタミン１受容体サブタイプアゴニスト、レシキモド（resiquimod）、イミキモド（imiquidmod）並びに同様のＴＬＲ７及びＴＬＲ８のアゴニスト及びアンタゴニスト、ドンペリドン、塩酸グラニセトロン、オンダンセトロン及びこのような鎮吐剤、酒石酸ゾルピデム及び同様の睡眠剤、Ｌ−ドーパ及び他の抗パーキンソン病薬、アリピプラゾール、オランザピン、クエチアピン、リスペリドン、クロザピン及びジプラシドン並びに他の精神安定剤、エクセナチド等の糖尿病薬、並びに肥満及び他の疾患の治療用のペプチド及びタンパク質が挙げられる。
【００２８】
麻酔活性物質又は鎮痛薬のさらなる非限定的な例としては、アンブカイン、アメトカイン、ｐ−アミノ安息香酸イソブチル、アモラノン、アモキセカイン、アミロカイン、アプトカイン、アザカイン、ベンカイン、ベノキシネート、ベンゾカイン、Ｎ，Ｎ−ジメチルアラニルベンゾカイン、Ｎ，Ｎ−ジメチルグリシルベンゾカイン、グリシルベンゾカイン、β−アドレナリン受容体アンタゴニストベトキシカイン、ブメカイン、ブピバカイン（bupivicaine）、レボブピバカイン（levobupivicaine）、ブタカイン、ブタンベン、ブタニリカイン、ブテタミン、ブトキシカイン、メタブトキシカイン、カルビゾカイン（carbizocaine）、カルチカイン、セントブクリジン（centbucridine）、セパカイン（cepacaine）、セタカイン（cetacaine）、クロロプロカイン、コカエチレン、コカイン、プソイドコカイン、シクロメチカイン、ジブカイン、ジメチソキン、ジメトカイン、ジペロドン、ジクロニン、エコグニン（ecognine）、エコゴニジン（ecogonidine）、アミノ安息香酸エチル、エチドカイン、ユープロシン、フェナルコミン、フォモカイン、ヘプタカイン、ヘキサカイン、ヘキソカイン、ヘキシルカイン、ケトカイン、ロイシノカイン、レボキサドロール、リグノカイン、ロツカイン、マーカイン、メピバカイン、メタカイン、塩化メチル、ミルテカイン、ネパイン、オクタカイン、オルトカイン、オキセタゼイン、パレントキシカイン（parenthoxycaine）、ペンタカイン、フェナシン、フェノール、ピペロカイン、ピリドカイン、ポリドカノール、ポリカイン、プリロカイン、プラモキシン、プロカイン（ノボカイン（登録商標））、ヒドロキシプロカイン、プロパノカイン、プロパラカイン、プロピポカイン、プロポキシカイン、ピロカイン、カタカイン、リノカイン、リソカイン、ロドカイン、ロピバカイン、サリチルアルコール、テトラカイン、ヒドロキシテトラカイン、トリカイン（tolycaine）、トラペンカイン、トリカイン（tricaine）、トリメカイン、トロパコカイン、ゾラミン、これらの薬学的に許容可能な塩、及びこれらの混合物が挙げられる。
【００２９】
本明細書及び添付の特許請求の範囲で用いる場合、「対象（subject）」という用語は、一般的に、任意の宿主、動物、脊椎動物又は無脊椎動物を指し、そして魚類、哺乳類、両生類、爬虫類、鳥類及び特にヒトを含む。
【００３０】
本明細書及び添付の特許請求の範囲で用いる場合、「アゴニスト」という用語は、受容体（例えばトル様受容体等）と結合することで細胞性応答を生じ得る化合物を指す。アゴニストは、受容体と直接結合するリガンドであり得る。代替的には、アゴニストは、受容体を直接結合する別の分子と複合体を形成することにより、或いはそうでなければ受容体に直接結合するように化合物の修飾を生じることにより、間接的に受容体と結合し得る。
【００３１】
本明細書及び添付の特許請求の範囲で用いる場合、「アンタゴニスト」という用語は、受容体（例えばトル様受容体等）と結合することで細胞性応答を阻害し得る化合物を指す。アンタゴニストは、受容体と直接結合するリガンドであり得る。代替的には、アンタゴニストは、受容体と直接結合する別の分子と複合体を形成することにより、或いはそうでなければ受容体に直接結合するように化合物の修飾を生じることにより、間接的に受容体と結合し得る。
【００３２】
本明細書及び添付の特許請求の範囲で用いる場合、「有効量」又は「治療的有効量」という用語は、所望の結果を達成するための投与量で及び必要な時間の間の有効な量を含む。薬学的作用物質を含有する組成物の有効量は、対象の疾患の段階、年齢、性別及び体重のような因子により変わり得る。
【００３３】
本明細書及び添付の特許請求の範囲で用いる場合、「鎮痛薬」という用語は、対象の身体の一領域における神経感覚を減少、緩和、低減、軽減、又は消滅させる作用物質を指す。いくつかの実施形態では神経感覚は疼痛に関連し、他の態様においては、神経感覚は不快感、痒み、灼熱痛、過敏、刺痛、「爬行」圧感、温度変動（例えば発熱）、炎症、疼痛又はその他の神経感覚に関する。
【００３４】
本明細書及び添付の特許請求の範囲で用いる場合、「麻酔薬」という用語は、対象の身体の一領域における感覚の可逆的喪失を生じる作用物質を指す。いくつかの実施形態では、麻酔薬は、それが対象の身体の一特定領域のみにおける感覚の喪失を生じる場合、「局所麻酔薬」であるとみなされる。
【００３５】
本明細書及び添付の特許請求の範囲で用いる場合、「アレルゲン」という用語は、アレルギー性応答を引き出す任意の作用物質を指す。アレルゲンのいくつかの例としては、化学物質及び植物、薬剤（例えば抗生物質、血清）、食物（例えばミルク、小麦、卵等）、細菌、ウイルス、その他の寄生生物、吸入因子（埃、花粉、香料、煙）、及び／又は物理的作因（熱、光、摩擦、放射線）が挙げられるが、これらに限定されない。本明細書中で用いる場合、アレルゲンは免疫原であり得る。
【００３６】
本明細書及び添付の特許請求の範囲で用いる場合、「アジュバント」という用語及びその任意の派生物は、それ自体が投与される場合、（たとえあったとしても）わずかな直接作用を有しながら、別の作用物質の作用を修飾する作用物質を指す。例えばアジュバントは、製剤の潜在効力又は効能を増大し得るか、或いはアジュバントは免疫応答を変えるか又はそれに影響を及ぼし得る。
【００３７】
本明細書及び添付の特許請求の範囲で用いる場合、「ビヒクル」、「担体」、「薬学的ビヒクル」、「薬学的担体」、「薬学的に許容可能なビヒクル」又は「薬学的に許容可能な担体」という用語は互換的に用いられ、そして通常は薬学的組成物を製造するために製薬産業で用いられる薬学的に許容可能な固体又は液体の、希釈又は封入するための、充填又は運搬作用物質を指す。ビヒクルの例としては、対象に接触するのに用いるのに適している任意の液体、ゲル、軟膏、クリーム、溶剤、希釈剤、流体軟膏基剤、小胞、リポソーム、ニソーム、エタソーム、トランスフェルソーム、ウィロソーム、環状オリゴ糖、非イオン性界面活性物質小胞、リン脂質界面活性物質小胞、ミセル等が挙げられる。
【００３８】
いくつかの実施形態では、薬学的ビヒクルは、薬理学的活性物質を含む及び／又は送達するが、一般的に他の面では薬理学的に不活性であると考えられる組成物を指す。いくつかの他の実施形態では、薬学的ビヒクルは、例えば損傷、さらなる損傷又は要素への曝露などの状態からの適用部位に対する防御を提供することにより、粘膜又は皮膚などの部位に適用された場合に、何らかの治療効果を有し得る。したがっていくつかの実施形態では、薬学的ビヒクルは、処方物中に薬理学的作用物質を伴わずに防御のために用いられ得る。
【００３９】
本明細書中で提示される見出しは、便宜上に過ぎず、当該実施形態の範囲又は意味を説明するものではない。
【００４０】
図１及び図２は、一例示実施形態に従って、イオントフォレーシスにより、生体界面１８（図２）、例えば皮膚又は粘膜の一部に活性物質を供給するように動作可能である電源１６とそれぞれ電気的に結合されるそれぞれ作用側電極構造体１２及び対向電極構造体１４を含むイオントフォレーシス装置１０を示す。
【００４１】
より簡単な実施形態（示されていない）では、作用側電極構造体１２は、作用側電極要素２４、少なくとも２つの横方向に離間された活性物質貯留槽３３ａ〜３３ｃ（集合的に３３）、及び少なくとも２つの活性物質３６ａ〜３６ｃ（集合的に３６）を包含し得る。図で示した実施形態では、作用側電極構造体１２は、作用側電極構造体１２の内部２０から外部２２に向かって、作用側電極要素２４、電解質２８を貯留する電解質貯留槽２６、内部イオン選択膜３０、内部封止ライナー３２、活性物質３６ａ〜３６ｃを貯留する少なくとも２つの横方向に離間された活性物質貯留槽３３ａ〜３３ｃ、活性物質貯留槽３３ａ〜３３ｃのそれぞれを保持するための少なくとも２つの横方向に離間された収容部を有する保持構造３４、付加的活性物質４０ａ〜４０ｃ（集合的に４０）を任意に貯蔵する最外部イオン選択膜３８、最外部イオン選択膜３８の外表面４４により担持される任意のさらなる活性物質４２ａ〜４２ｃ（集合的に４２）、並びに外部リリースライナー４６を包含する。上記要素又は構造の各々を以下で詳細に考察する。
【００４２】
作用側電極要素２４は、電源１６の第一の電極１６ａと連結され、そして作用側電極構造体１２に配置されて、起電力又は電流を印加して、作用側電極構造体１２の種々の他の部材を介して活性物質３６、４０、４２を輸送する。作用側電極要素２４は、種々の形態をとり得る。例えば作用側電極要素２４は、犠牲要素、例えば化合物又はアマルガム、例えば銀（Ａｇ）又は塩化銀（ＡｇＣｌ）を包含し得る。このような化合物又はアマルガムは典型的には、１つ又は複数の重金属、例えば鉛（Ｐｂ）を用い、これは、製造、貯蔵、使用及び／又は処分に関する問題点を生じさせる。従って、いくつかの実施形態は、有益には、炭素ベースの作用側電極要素２４を用い得る。このようなものは、例えば多重層、例えば炭素を含むゲル又はポリマーマトリクス、並びに炭素繊維又は炭素繊維紙を含む導電性シートを含み、例えば同一出願人による係属中の特願２００４／３１７３１７号公報（２００４年１０月２９日提出）に記載されている。
【００４３】
電解質貯留槽２６は、種々の形態、例えば電解質２８を保持し得る任意の構造をとり、そしていくつかの実施形態では、例えば電解質２８がゲル、半固体又は固体形態である場合、電解質２８自体でさえあり得る。例えば電解質貯留槽２６は、特に電解質２８が液体である場合、パウチ又はその他の容器、孔、キャビティ又は隙間を有する膜の形態をとり得る。
【００４４】
電解質２８は、効率を増強し及び／又は送達速度を増大するために、イオンを提供するか又は電荷を供与して、作用側電極要素２４上の気泡（例えば水素）の形成を防止又は阻害し得る。この電気分解の排除又は低減は次いで、さもなければ、例えば効率低減、移送速度低減及び／又は生体界面１８に生じ得る刺激等の不利益を生じさせるであろう酸及び／又は塩基（例えばＨ＋イオン、ＯＨ−イオン）の形成を阻害又は低減させ得る。さらに以下で考察するように、いくつかの実施形態では、電解質２８は、最外部作用側電極イオン選択膜３８に貯蔵された活性物質を置換するための、例えば、最外部作用側電極イオン選択膜３８がイオン交換膜の形態をとる場合には、イオン交換基５０に結合した活性物質４０を置換するためのイオンを提供又は供与し得る。このようなものは生体界面１８への活性物質４０の移動を促して、例えば送達速度を増大及び／又は安定化し得る。適切な電解質は、０．５Ｍフマル酸二ナトリウム：０．５Ｍポリアクリル酸（５：１）の溶液の形態をとり得る。
【００４５】
内部イオン選択膜３０は一般に、電解質２８及び活性物質貯留槽３３を分離するように配置される。内部イオン選択膜３０は、電荷選択膜の形態をとり得る。例えば活性物質３６、４０、４２が陽イオン性活性物質を含む場合、内部イオン選択膜３８は、陰イオンを実質的に通し、そして陽イオンを実質的に遮断するように選択的である陰イオン交換膜の形態をとり得る。さらにまた、例えば活性物質３６、４０、４２が陰イオン性活性物質を含む場合、内部イオン選択膜３８は、陽イオンを実質的に通し、そして陰イオンを実質的に遮断するように選択的である陽イオン交換膜の形態をとり得る。内部イオン選択膜３８は、有益には、電解質２８と活性物質３６、４０、４２との間の望ましくない要素又は化合物の移動を防止し得る。例えば内部イオン選択膜３８は、電解質７２からの水素（Ｈ＋）又はナトリウム（Ｎａ＋）イオンの移動を防止又は阻害し、これは、イオントフォレーシス装置１０の移動速度及び／又は生物学的適合性を増大し得る。
【００４６】
内部封止ライナー３２は任意であり、電解質２８から活性物質３６、４０、４２を分離し、そして選択的に除去可能である。内部封止ライナー３２は、有益には、例えば貯蔵中の活性物質３６、４０、４２と電解質２８との間の移動又は分散を防止し得る。
【００４７】
活性物質貯留槽３３は、概して内部イオン選択膜３０と最外部イオン選択膜３８との間に配置され、保持構造３４中に確保され得る。保持構造３４は、活性物質貯留槽３３を受容及び保持し、活性物質貯留槽３３ａ〜３３ｃを空間的に横方向に分離した状態を保持し得る横方向に離間されたキャビティ、孔、容器又は任意のボイド又は形成物を有する任意の構造であり得る。活性物質貯留槽３３は、種々の形態、例えば活性物質３６を一次的に保持し得る任意の構造をとり、そしていくつかの実施形態では、例えば活性物質がゲル、半固体又は固体形態である場合、活性物質３６ａ〜３６ｃ自体でさえあり得る。例えば特に活性物質３６が液体である場合、活性物質貯留槽３３はパウチ又はその他の容器、孔、キャビティ又は隙間を有する膜の形態をとり得る。活性物質貯留槽３３は、有益には、より大きな用量の活性物質３６を作用側電極構造体１２中に装荷させ得る。
【００４８】
２つ以上の活性物質３６ａ〜３６ｃは各々、いくつかの実施形態においては同一組成物であるか、或いは他の実施形態では、それらは各々、別個の化合物又は要素であり得る。例えば少なくとも１つの実施形態では、活性物質３６ａ〜３６ｃ、４０ａ〜４０ｃ、４２ａ〜４２ｃは、アレルギースクリーニング試験のための複数の抗原を含むことができ、すべての抗原が同時に投与される場合に抗原を個別に注射する必要性が排除される。別の実施形態では、活性物質貯留槽３３ａ〜３３ｃは各々、経口的に又は注射により摂取することが不便又は非効率であるか、或いは繰り返し送達されなければならない活性物質３６ａ〜３６ｃを貯留し得る。このような実施形態では、活性物質は、経口的手段又は注射による投与なしに、同時に送達され得る。
【００４９】
最外部イオン選択膜３８は一般に、作用側電極構造体１２を通って作用側電極要素２４と向かい合って配置される。最外部膜３８は、図１及び図２に図示した実施形態のように、イオン交換膜の形態をとることができ、当該イオン選択膜３８の孔４８（図を分かりやすくするために図１及び図２では１つだけを表わしている）は、イオン交換物質又は基５０（図を分かりやすくするために図１及び図２では３つだけを表わしている）を有している。起電力又は電流の影響下では、イオン交換物質又は基５０は選択的に、活性物質３６、４０、４２と同じ極性を有するイオンを実質的に通す一方で、反対極性を有するイオンを実質的に遮断する。したがって最外部イオン交換膜３８は、電荷選択的である。活性物質３６、４０、４２が陽イオン（例えばリドカイン）である場合、最外部イオン選択膜３８は陽イオン交換膜の形態をとり得る。代替的には、活性物質３６、４０、４２が陰イオンである場合、最外部イオン選択膜３８は陰イオン交換膜の形態をとり得る。
【００５０】
最外部イオン選択膜３８は、有益には、少なくとも２つの活性物質４０ａ〜４０ｃを貯蔵し得る。特に、イオン交換基又は物質５０は、起電力又は電流の非存在下で活性物質の極性と同じ極性を有するイオンを一時的に保持し、そして起電力又は電流の影響下で同様の極性又は電荷を有する代用イオンと置き換えられる場合、それらのイオンを実質的に放出する。
【００５１】
代替的には、最外部イオン選択膜３８は、サイズにより選択的である半透性又は微小孔膜の形態をとり得る。いくつかの実施形態では、このような半透性膜は、有益には、例えば外部リリースライナー４６が使用前に除去されるまで、活性物質４０ａ〜４０ｃを保持するための除去的に取り外し可能なな外部リリースライナー４６を用いることにより、活性物質４０ａ〜４０ｃを貯蔵し得る。別の実施形態（示されていない）は、最外部イオン選択膜３８を除外し、そして除去的に取り外し可能なな外部リリースライナー４６を用いて、外部リリースライナー４６が使用前に除去されるまで、それぞれ活性物質貯留槽３３ａ〜３３ｃ中に貯留される活性物質３６ａ〜３６ｃを保持し得る。
【００５２】
最外部イオン選択膜３８は、付加的活性物質４０ａ〜４０ｃ、例えばイオン化された又はイオン化可能な薬剤又は治療薬及び／又は分極化された又は分極化可能な薬剤又は治療薬を予備装荷し得る。最外部イオン選択膜３８がイオン交換膜である場合、相当量の活性物質４０が最外部イオン選択膜３８の孔、キャビティ又は隙間４８中のイオン交換基５０と結合し得る。少なくとも１つの実施形態（示されていない）では、最外部イオン選択膜３８自体が保持構造であり、そして孔４８は活性物質貯留槽として役立って、別個の保持構造３４及び活性物質貯留槽３３の必要性を排除し得る。
【００５３】
物質５０のイオン交換基と結合できない活性物質４２は、さらなる活性物質４２として最外部イオン選択膜３８の外表面４４に付着し得る。代替的には又は付加的には、さらなる活性物質４２は、例えば噴霧、フラッジング、コーティングにより、静電的に、蒸着により、及び／又は別のやり方で、最外部イオン選択膜３８の外表面４４の少なくとも一部分に積極的に堆積される及び／又は付着され得る。いくつかの実施形態では、さらなる活性物質４２ａ〜４２ｃは、異なる層５２（図を分かりやすくするために図１及び図２では１つだけを表わす）を形成するために外表面４４のそれぞれの部分を十分に被覆し得るし及び／又は十分な厚みを有し得る。他の実施形態では、さらなる活性物質４２は、その語の通常の意味での層を構成するほどには、容積、厚み又は被覆面積において十分でない場合もある。
【００５４】
活性物質４２は、種々の高濃縮形態、例えば固体形態、ほぼ飽和された溶液形態又はゲル形態で堆積され得る。固体形態である場合、水和の供給源が提供され、作用側電極構造体１２に組込まれるか、又は使用直前にその外部から適用され得る。
【００５５】
いくつかの実施形態では、活性物質３６、付加的活性物質４０及び／又はさらなる活性物質４２は、同一の又は類似の組成物又は要素であり得る。他の実施形態では、活性物質３６、付加的活性物質４０、及び／又はさらなる活性物質４２は、互いに異なる組成物又は要素であり得る。したがって第一の組の別個の型の活性物質は、内部活性物質貯留槽３３中に貯留され得る一方で、第二の組の別個の型の活性物質は最外部イオン選択膜３８中に貯蔵され得る。このような実施形態では、第一の組又は第二の組の活性物質又はその組合せは、さらなる活性物質４２として最外部イオン選択膜３８の外表面４４上に堆積され得る。代替的には、第一の組及び第二の組の活性物質の混合物は、さらなる活性物質４２として最外部イオン選択膜３８の外表面４４上に堆積され得る。さらにそれに代わるものとして、第三の型の活性物質組成物又は要素が、さらなる活性物質４２として最外部イオン選択膜３８の外表面４４上に堆積され得る。別の実施形態では、第一の組の活性物質は活性物質３６として内部活性物質貯留槽３３中に貯留され、そして付加的活性物質４０として最外部イオン選択膜３８中に貯蔵され得る一方で、第二の型の活性物質はさらなる活性物質４２として最外部イオン選択膜３８の外表面４４上に堆積され得る。典型的には、１つ又は複数の異なる活性物質が横方向というよりむしろ縦方向に装置１０中に配置される実施形態では、活性物質３６、４０、４２は典型的には、共通の極性を有して、活性物質３６、４０、４２が互いに競合するのを防ぐ。他の組合せも可能である。
【００５６】
活性物質３６、４０、４２の縦方向の間隔は、典型的には、それぞれの活性物質の送達において時間的分離に役立ち、さらなる活性物質４２が先ず送達され、付加的活性物質４０が次に送達され、そして活性物質３６が最後に送達される。これは、作用側電極構造体１２の面を横切る活性物質の横方向の離間の場合と対照を成す。このような分配は一般的に、先ず活性物質４２ａ〜４２ｃを実質的に同時に送達し、特定の活性物質４２ａ〜４２ｃの輸率における有意差を排除する。次に付加的活性物質４０ａ〜４０ｃは、互いにほぼ同時に送達され、これもまたそれらの輸率における有意差を排除する。最後に、活性物質３６ａ〜３６ｃはすべて、互いにほぼ同時に送達されて、それらの輸率における有意差を排除する。
【００５７】
外部リリースライナー４６は一般に、最外部イオン選択膜３８の外表面４４により保有されるさらなる活性物質４２の上に重なるか又はそれを覆って配置され得る。外部リリースライナー４６は、起電力又は電流の印加前に、貯蔵中、さらなる活性物質４２及び／又は最外部イオン選択膜３８を保護し得る。外部リリースライナー４６は、耐水性物質製の選択的に剥離可能なライナー、例えば感圧性接着剤と一般的に関連するリリースライナーであり得る。内部リリースライナー４６は、図１では配置された状態で示されており、そして図２では取り外されているということに留意されたい。他の実施形態（示されていない）では、外表面４４は外部リリースライナー４６に接触し、さらなる活性物質４２の層の形成が妨されることもあり得る。このような実施形態では、外部リリースライナー４６は、最外部イオン選択膜３８を保護し得る。最外部イオン選択膜が除外される他の実施形態では、外部リリースライナー４６は、貯留槽３３及び活性物質３６を保護し得る。
【００５８】
界面結合媒質（示されていない）は、電極構造体と生体界面１８との間に用いられ得る。界面結合媒質は、例えば接着剤及び／又はゲルの形態をとり得る。ゲルは、例えば水和ゲルの形態をとり得る。
【００５９】
対向電極構造体１４は、作用側電極構造体１２及び生体界面１８を介して、電源１６の極１６ａ、１６ｂ間の電気経路の完成を可能にする。対向電極構造体１４は、復路を提供することにより回路を閉じるのに適した種々の形態をとり得る。
【００６０】
図１及び図２に示した実施形態では、対向電極構造体１４は、対向電極構造体１４の内部６４から外部６６に向かって順に、対向電極要素６８、電解質７２を貯留する電解質貯留槽７０、内部イオン選択膜７４、緩衝物質７８を貯留する任意の緩衝剤貯留槽７６、最外部イオン選択膜８０、並びに外部リリースライナー８２（図１）を包含する。
【００６１】
対向電極要素６８は、電源１６の第二の電極１６ｂと電気的に結合され、第二の電極１６ｂは第一の電極１６ａと逆の極性を有する。対向電極要素６８は、種々の形態をとり得る。例えば対向電極要素６８は、犠牲要素、例えば化合物又はアマルガム、例えば銀（Ａｇ）又は塩化銀（ＡｇＣｌ）を包含し得るか、或いは非犠牲要素、例えば上記の炭素ベースの電極要素を包含し得る。
【００６２】
電解質貯留槽７０は、種々の形態、例えば電解質７２を保持し得る任意の構造をとり、そしていくつかの実施形態では、例えば電解質７２がゲル、半固体又は固体形態である場合、電解質７２自体でさえあり得る。例えば電解質貯留槽７０は、特に電解質７２が液体である場合、パウチ又はその他の容器、或いは孔、キャビティ又は隙間を有する膜の形態をとり得る。
【００６３】
電解質７２は一般に、対向電極要素６８と、対向電極要素６８に近位の最外部イオン選択膜８０との間に配置される。電解質７２は、イオンを提供するか又は電荷を供与して、対向電極要素６８上の気泡（例えば水素）の生成を防止又は阻害し、そして酸又は塩基の形成を防止又は阻害するか、或いはそれを中和し、これにより効率が増強され及び／又は生体界面１８（図２）の刺激の可能性を低減し得る。
【００６４】
内部イオン選択膜７４は、電解質７２と緩衝物質７８との間に、及び／又は電解質７２を緩衝物質７８から分離するよう配置される。内部イオン選択膜７４は、例えば第一の極性又は電荷を有するイオンの通過を実質的に許容する一方で、第二の反対極性を有するイオン又は電荷の通過を実質的に遮断する図示したイオン交換膜などの電荷選択膜の形態をとり得る。内部イオン選択膜７４は典型的には、最外部イオン選択膜８０により通されるものと逆の極性又は電荷を有するイオンを通す一方で、同様の極性又は電荷を有するイオンを実質的に遮断する。代替的には、内部イオン選択膜７４は、サイズに基づいて選択的である半透性膜又は微小孔膜の形態をとり得る。
【００６５】
内部イオン選択膜７４は、緩衝物質７８への望ましくない要素又は化合物の移動を防止し得る。例えば内部イオン選択膜７４は、電解質７２から緩衝物質７８中への水素（Ｈ＋）又はナトリウム（Ｎａ＋）イオンの移動を防止又は阻害し得る。
【００６６】
任意の緩衝剤貯留槽７６は一般に、電解質貯留槽７０と最外部イオン選択膜８０との間に配置される。緩衝剤貯留槽７６は、緩衝物質７８を一時的に担持し得る種々の構造をとり得る。例えば緩衝剤貯留槽７６は、キャビティ、多孔性膜又はゲルの形態をとり得る。
【００６７】
緩衝物質７８は、最外部イオン選択膜８２を通して生体界面１８への移動のためのイオンを供給し得る。従って、緩衝物質７８は、例えば塩（例えばＮａＣｌ）を含み得る。
【００６８】
対向電極構造体１４の最外部イオン選択膜８０は、種々の形態をとり得る。例えば最外部イオン選択膜８０は、電荷選択性イオン交換膜、例えば陽イオン交換膜又は陰イオン交換膜の形態をとり、これは、イオンにより担持される電荷に基づいてイオンを実質的に通過及び／又は遮断する。適切なイオン交換膜の例は上記されている。代替的には、最外部イオン選択膜８０は、イオンのサイズ又は分子量に基づいてイオンを実質的に通過及び／又は遮断する半透性膜の形態をとり得る。
【００６９】
対向電極構造体１４の最外部イオン選択膜８０は、作用側電極構造体１２の最外部イオン選択膜３８のものと逆の電荷又は極性を有するイオンに対して選択的である。したがって例えば作用側電極構造体１２の最外部イオン選択膜３８が生体界面１８への活性物質３６、４０、４２の負荷電イオンの通過を許容する場合、対向電極構造体１４の最外部イオン選択膜８０は、生体界面１８への正荷電イオンの通過を許容する一方で、負の電荷又は極性を有するイオンの通過を実質的に遮断する。他方、作用側電極構造体１２の最外部イオン選択膜３８が生体界面１８への活性物質３６、４０、４２の正荷電イオンの通過を許容する場合、対向電極構造体１４の最外部イオン選択膜８０は、生体界面１８への負荷電イオンの通過を許容する一方で、正の電荷又は極性を有するイオンの通過を実質的に遮断する。
【００７０】
外部リリースライナー８２（図１）は一般に、最外部イオン選択膜８０の外表面８４の上に重なるか又はそれを覆って配置され得る。内部リリースライナー８２は図１では配置された状態で示されており、そして図２では取外されているということに留意されたい。外部リリースライナー８２は、起電力又は電流の印加前に、貯蔵中、最外部イオン選択膜８０を保護し得る。外部リリースライナー８２は、耐水性物質製の選択的に剥離可能なライナー、例えば感圧性付着剤と一般的に関連するリリースライナーであり得る。いくつかの実施形態では、外部リリースライナー８２は、作用側電極構造体１２の外部リリースライナー４６と同一の広がりを有し得る。
【００７１】
電源１６は、１つ又は複数の化学電池、スーパーキャパシタ又はウルトラキャパシタ、又は燃料電池の形態をとり得る。電源１６は、選択的に、電極アセンブリ１２、１４に送達される電圧、電流及び／又は電力を制御するために、ディスクリートの回路要素及び／又は集積回路要素を包含し得る制御回路（示されていない）を介して、活性対向電極構造体１２及び対向電極構造体１４と電気的に結合し得る。
【００７２】
上記のように、活性物質３６、４０、４２は、陽イオン性又は陰イオン性薬剤又は他の治療薬の形態をとり得る。その結果として、電源１６の端子又は極１６ａ、１６ｂは、逆にされ得る。同様に、最外部イオン選択膜３８、８０及び内部イオン選択膜３０、７４の選択性が逆にされ得る。
【００７３】
イオントフォレーシス装置１０は、作用側電極構造体１２及び対向電極構造体１４を形成する種々の他の構造の露出面に隣接する不活性成形物質８６をさらに包含する。成形物質８６は、有益には、作用側電極構造体１２及び対向電極構造体１４の種々の構造に対する環境的保護を提供し得る。成形物質８６は、タブ６０（図１）が延びて使用前に内部封止ライナー３２の除去を可能にする露出面の一方に溝孔又は開口８８ａを形成し得る。作用側電極構造体１２及び対向電極構造体１４の囲いは、収容物質９０である。収容物質９０もまた、タブ６０が延びて、下記のようにイオントフォレーシス装置１０の使用前に内部封止ライナー３２の除去を可能にする成形物質８６における溝孔又は開口８８ａと一列に並んで配置される溝孔又は開口８８ｂを形成し得る。
【００７４】
使用直前に、内部封止ライナー３２を引き抜いて、外部リリースライナー４６、８２を除去することにより、イオントフォレーシス装置１０は準備される。上記のように、内部封止ライナー３２は、タブ６０を引張ることにより引き抜かれ得る。外部リリースライナー４６、８２は、感圧ラベル等から封止ライナーを除去するのと同様にして引抜かれる。
【００７５】
図２で最も良く分かるように、作用側電極構造体１２及び対向電極構造体１４は、生体界面１８上に配置される。生体界面１８上の配置は、回路を閉じて、起電力を印加させ、及び／又は作用側電極構造体、生体界面１８及び対向電極構造体１４を介して、電流を電源１６の一方の極１６ａから他方の極１６ｂに流させ得る。
【００７６】
起電力及び／又は電流の存在下では、活性物質３６は生体界面１８に向けて輸送される。付加的活性物質４０は、同じ電荷又は極性のイオン（例えば活性物質３６ａ〜３６ｃ）の置換によりイオン交換基又は物質５０により放出され、そして生体界面１８に向けて輸送される。活性物質３６のいくつかは付加的活性物質４０に置換し得る一方で、活性物質３６のいくつかは最外部イオン選択膜３８を通して生体界面１８に移され得る。もしあれば、最外部イオン選択膜３８の外表面４４により担持されるさらなる活性物質４２も、生体界面１８に移送される。
【００７７】
図３は、収容部３７ｃへの挿入待ちとなっている活性物質貯留槽のうちの１つ３３ｃを有する保持構造３４の一例示的実施形態を示す。保持構造３４は、少なくとも２つの活性物質貯留槽３３ａ〜３３ｃを受容及び保持して、実質的に同一又は実質的に別個の活性物質３６ａ〜３６ｃを活性物質貯留槽３３ａ〜３３ｃに貯留させ得る。図３に示すような一例示的実施形態では、保持構造３４は、作用側電極構造体１２（図１）の接触面とほぼ平行な平面を通って横方向に離間された３つの活性物質貯留槽３３ａ〜３３ｃを保持する。
【００７８】
保持構造３４は、イオントフォレーシス装置１０中に固定して配置され得る。代替的には又は付加的には、保持構造３４は、イオントフォレーシス装置１０中に取外し可能に固定されたカートリッジ形態であり得る。カートリッジ形態では、保持構造３４は、活性物質３６が枯渇するか、又は最初の患者で使用後に、次の患者のための装置を用意するときに、取り外され、取り替えられ得る。これは、衛生上の目的のために、患者接触部分を好適に取り外し、処分することを可能にする。これはまた、滅菌手順、例えば高温又は強化学物質（漂白剤）への曝露を経ることができない部分の除去を可能にし得る。
【００７９】
このような実施形態では、複数の保持構造３４カートリッジが１つのイオントフォレーシス装置１０で利用されて、装置の商業的実用性が追加される。いくつかの実施形態では、活性物質貯留槽３３は、保持構造３４中に挿入可能に保持され得る一方で、他の実施形態では、活性物質貯留槽３３は、活性物質を貯留し得るキャビティ、孔、容器及び／又は任意の他の空所として保持構造３４中に形成される。さらに他の実施形態では、活性物質３６ａ〜３６ｃは、１回限りの使用のために、又は再使用のために活性物質貯留槽３３を再充填するために、注射器又は他の装置により活性物質貯留槽３３中に注入され得る。
【００８０】
図４は、活性物質貯留槽３３を受容する保持構造３４に隣接して又は少なくとも近位に置かれるブリスターパック３５を含めたイオントフォレーシス装置１０の別の実施形態を示す。図４に示したように、少なくとも２つの活性物質貯留槽３３ａ〜３３ｃは、作用側電極構造体１２の接触面４３とほぼ平行する平面で互いに間隔をあけて横方向に分離される。ブリスターパック３５は、水和剤４７ａ〜４７ｃ（集合的に４７）を貯留する別個のブリスター４５ａ〜４５ｃ（集合的に４５）を含み得る。ブリスター４５は、活性物質貯留槽３３に隣接して又は少なくとも近位に配置され得る。このような実施形態では、活性物質３６は、使用前に脱水化形態であり得る。ブリスター４５の選択的な圧縮と破壊が使用時間に選択された活性物質３６ａ〜３６ｃを水和することで、上記電極アセンブリ１２、１４を通過する起電力により、荷電活性分子並びにイオン及び他の荷電構成成分が生体界面１８を通って生体組織中に移動する。このような実施形態は、或る時間間隔での連続した活性物質の用量投与を要する応用に好適であり得る。例えば異なる用量又は異なる活性物質３６ａ〜３６ｃが、ブリスターパック３５中のブリスター４５ａ〜４５ｃに各々対応して活性物質貯留槽３３中に貯留され得る。ブリスター４５は、別々に及び／又は独立して、処方された活性物質の投与間隔で圧縮して破壊され得る。どれ程の用量で又はどの活性物質が生体界面１８を通して前に移送されたかがブリスター４５の外観から明らかであるため、ブリスターパック３５の使用は、活性物質の過剰移送又は過少移送の誤りもも防止し得る。
【００８１】
ブリスターパック３５は、イオントフォレーシス装置１０中に固定されるか、或いは図５の例示的実施形態に示したように、ブリスターパック３５はイオントフォレーシス装置１０に挿入可能及び／又は取外し可能に取り付けられるカートリッジ形態であり得る。例えば保持構造３４がカートリッジ形態である場合、水和剤４７及び活性物質３６を補充するために、ブリスターパック３５は保持構造３４に取り替えられ得る。図５の部分的分解図で示したように、保持構造３４は収容部３７ａ〜３７ｃ（集合的に３７）を含み、活性物質貯留槽３３ａ〜３３ｃは、その中に挿入可能及び／又は取外し可能に取り付けられ得る。図５は、収容部３７ａ中に挿入するために配置される活性物質貯留槽のうちの１つ３３ａを示す。活性物質貯留槽３３は、使用時又は使用前に、活性物質３６を予めパッケージするか、或いは活性物質３６を注入されるか又はそうでなければ装荷され得る。
【００８２】
図５は、保持構造３４と生体界面（示されていない）との間に挿入可能及び／又は取外し可能に取り付けられるのを待ち受けるブリスターパック３５を有する一例示的実施形態を示す。このような実施形態では、ブリスターパック３５は、外部封止ライナー又はリリースライナー又はその両方としても役立ち得る。ブリスターパック３５は、使用のために活性物質のうちの選択されたものを水和するために、収容部３７に関してブリスターパック３５を選択的に配置可能にさせるように、保持構造３４の少なくとも１つのガイド要素３９と相補的であり得る少なくとも１つの整列メカニズム４１をさらに含み得る。他の実施形態では、ガイド要素は、活性電極１２の任意の他の部分に存在し得る。さらに他の実施形態では、保持構造３４及びブリスターパック３５は、イオントフォレーシス装置１０に取外し可能に確保される単一のカートリッジとして結合され得る。
【００８３】
さらなる他の実施形態では、ブリスター４５は、活性物質３６又は活性物質３６及び水和剤４７の両方を含み、使用前に活性物質貯留槽３３を選択的に装荷させ得る。さらに他の実施形態では、ブリスターパック３５は、活性物質３６を保持する別個の領域を含めた外部イオン選択膜に隣接するか又は少なくとも近位に存在し得る。これらの実施形態では、活性物質３６を脱水化形態にさせると、保持構造３４カートリッジは予めパッケージされ、そして保持構造３４及びブリスターパック３５カートリッジを受容するイオントフォレーシス装置１０に備えられる。他の実施形態では、１つ又は複数の貯留された活性物質３６、４０からさらなる活性物質４２を構成するのが望ましい。これらの実施形態では、所望の活性物質を含有するブリスターだけがさらなる活性物質４２を選択的に装荷するために圧縮、破壊され得る。
【００８４】
図６は、作用側電極構造体中の保持構造３４の横断面図である。図６に示したように、６つの活性物質貯留槽３３ａ〜３３ｆ（集合的に３３）は、作用側電極構造体１２の接触面４３（図４に示す）とほぼ平行する平面で互いに間隔をあけて横方向に分離される。他の実施形態は、より多数の又はより少数の活性物質貯留槽３３及び／又は横方向に離間された異なるパターンの活性物質貯留槽３３を含み得る。
【００８５】
図７は、６つのブリスター４５ａ〜４５ｆ（集合的に４５）、作用物質４７ａ〜４７ｆ（集合的に４７）（例えば水和剤及び／又は活性物質）並びに任意の整列メカニズム４１を含めたブリスターパック３５の一例示的実施形態を示す。作用物質４７ａ〜４７ｆは各々、いくつかの実施形態では同一組成物であり、或いは他の実施形態では、それらは各々、別個の化合物又は要素であり得る。任意の整列メカニズム４１は、活性物質貯留槽３３ａ〜３３ｆのそれぞれに隣接するか又は少なくとも近位に存在する作用物質４７ａ〜４７ｆを整列し得る。使用前に、作用物質４７のいくつか又はすべては、ブリスター４５が選択的に破壊されて、水和及び／又は生体界面（示されていない）を通して活性物質３６を移動することにより放出され得る。
【００８６】
ブリスターパック３５は、電気浸透圧流による活性物質移動の移送も補助し得る。イオントフォレーシス中、電極アセンブリを通る起電力は、記載のように、生体界面１８を通して、生体組織中への、荷電活性物質分子並びにイオン及び他の荷電構成成分の移送をもたらす。この移送は、界面を越えた生体組織内の活性物質、イオン及び／又は他の荷電構成成分の蓄積をもたらし得る。イオントフォレーシス中、反発力に応答する荷電分子の移送のほかに、電極及び生体界面１８を通して組織中への溶媒（例えば水）の電気浸透流も存在する。或る種の実施形態では、電気浸透溶媒流は、荷電分子及び非荷電分子の両方の移送を増強する。電気浸透溶媒流による移送の増大は、特に分子のサイズ増大に伴って顕著に生じ得る。
【００８７】
或る種の実施形態では、活性物質は、より高分子量の分子であり得る。或る種の態様において、分子は、極性高分子電解質であり得る。或る種の他の態様では、分子は親油性であり得る。或る種の実施形態では、このような分子は、活性電極内の条件下で、荷電されるか、低正味電荷を有するか、或いは非荷電であり得る。或る種の態様において、このような活性物質は、イオントフォレーシス反発力の影響下では、小さな、より高度に荷電された活性物質の移動に比べて、イオントフォレーシス反発力下では十分に移動し得ない。したがってこれらの高分子量活性物質は、主に電気浸透溶媒流により、生体界面を介して下にある組織中に運搬され得る。或る種の実施形態では、高分子量の高分子電解質活性物質は、タンパク質、ポリペプチド又は核酸であり得る。
【００８８】
要約に記載されたものを含めて上記の例証的実施形態についての記載は、網羅的であるように意図されないし、添付の特許請求の範囲を開示された精確な形態に限定するものでもない。例示の目的で特定の実施形態及び実施例を本明細書に記載しているが、本発明の精神及び範囲を逸脱しない限り、そして当業者に理解されるように、種々の等価の改変がなされ得る。本明細書中に提供される教示は、他の物質送達システム及び装置に適用可能であり、必ずしも一般的に上記した例示的なイオントフォレーシス活性物質システム及びイオントフォレーシス活性物質装置であるというわけではない。例えばいくつかの実施形態は、いくつかの構造を省き得るか、付加的構造を包含し得るか、或いはその両方であり得る。例えばいくつかの実施形態は、作用側電極要素２４及び対向電極要素６８に印加される電圧、電流又は電力を制御するための制御回路又はサブシステムを包含し得る。さらにまた例えばいくつかの実施形態は、最外部イオン選択膜３８、８０と生体界面１８との間に介在される界面層を包含し得る。いくつかの実施形態は、付加的イオン選択膜、イオン交換膜、半透性膜及び／又は多孔性膜、並びに電解質及び／又は緩衝剤のための付加的貯留槽を含み得る。
【００８９】
種々の導電性ヒドロゲルが既知であり、対象の皮膚に電気的インターフェイスを提供する医療分野や対象への電気刺激を結合するための装置において用いられてきた。ヒドロゲルは皮膚を水和し、したがってヒドロゲルにより電気刺激のための炎症に対して保護する一方で、皮膚を膨潤し、活性構成成分のより効率的な移動を可能にする。このようなヒドロゲルの例は、米国特許第６，８０３，４２０号、同第６，５７６，７１２号、同第６，９０８，６８１号、同第６，５９６，４０１号、同第６，３２９，４８８号、同第６，１９７，３２４号、同第５，２９０，５８５号、同第６，７９７，２７６号、同第５，８００，６８５号、同第５，６６０，１７８号、同第５，５７３，６６８号、同第５，５３６，７６８号、同第５，４８９，６２４号、同第５，３６２，４２０号、同第５，３３８，４９０号及び同第５，２４０，９９５号（これらの記載内容はその全体において参照により本明細書中で援用される）に開示されている。このようなヒドロゲルのさらなる例は、米国特許出願第２００４／１６６１４７号、同第２００４／１０５８３４号、及び同第２００４／２４７６５５号（これらの記載内容はその全体において参照により本明細書中で援用される）に開示されている。種々のヒドロゲル及びヒドロゲルシートの製品商標名としては、ＣＯＲＰＬＥＸ（商標）（Corium）、ＴＥＧＡＧＥＬ（商標）（3M）、ＰＵＲＡＭＡＴＲＩＸ（商標）（BD）、ＶＩＧＩＬＯＮ（商標）（Bard）、ＣＬＥＡＲＳＩＴＥ（商標）（Conmed Corporation）、ＦＬＥＸＩＧＥＬ（商標）（Smith & Nephew）、ＤＥＲＭＡ−ＧＥＬ（商標）（Medline）、ＮＵ−ＧＥＬ（商標）（Johnson & Johnson）、及びＣＵＲＡＧＥＬ（商標）（Kendall）或いはアクリルヒドロゲル・フィルム（Sun Contact Lens Co., Ltd.から入手可能）が挙げられる。
【００９０】
上記の種々の実施形態は、有益には、種々の微細構造、例えばマイクロニードルを用い得る。マイクロニードル及びマイクロニードルアレイ、それらの製造及び使用が記載されている。マイクロニードルは、独立して、又はアレイで、中空、固体及び透過性、固体及び半透性、或いは固体及び非透過性であり得る。固体、非透過性マイクロニードルはさらに、それらの外表面に沿って溝を含み得る。複数のマイクロニードルからなるマイクロニードルアレイは、種々の形状、例えば長方形又は円形で配列され得る。マイクロニードル及びマイクロニードルアレイは、種々の材料、例えばケイ素、二酸化ケイ素、成型プラスチック材料、例えば生分解性ポリマー又は非生分解性ポリマー、セラミック、並びに金属から製造され得る。マイクロニードルは、独立して、又はアレイで、中空開口部を通して、固体透過性物質又は半透性物質を通して、或いは外部溝を介して、流体を投与するか又はサンプリングするために用いられ得る。マイクロニードル装置は、例えば生体界面、例えば皮膚又は粘膜を介して、生きている身体に種々の化合物及び組成物を送達するために用いられる。或る種の実施形態では、活性物質化合物及び組成物は、生体界面に又は生体界面を介して送達され得る。例えば皮膚を介して化合物又は組成物を送達するのに際しては、個々の或いはアレイでの（単一又は複数の）マイクロニードルの長さ、及び／又は挿入深度は、化合物又は組成物の投与が表皮中だけ、表皮を通して真皮、又は皮下に投与されるかを制御するために用いられ得る。或る種の実施形態では、マイクロニードル装置は、高分子量活性物質、例えばタンパク質、ペプチド及び／又は核酸を含むもの並びにその対応する組成物の送達のために有用であり得る。例えば流体がイオン性溶液である或る種の実施形態では、（単一又は複数の）マイクロニードル又は（単一又は複数の）マイクロニードルアレイは電源とマイクロニードル（単数又は複数）の先端との間の電気的連続性を提供し得る。（単一又は複数の）マイクロニードル又は（単一又は複数の）マイクロニードルアレイは、本明細書中に記載されるようなイオントフォレーシス法により、化合物又は組成物を送達するか又はサンプリングするために有益に用いられ得る。或る種の実施形態では、例えばアレイ中の複数のマイクロニードルは、有益には、イオントフォレーシス装置の最外部生体界面の接触表面上に形成され得る。このような装置により送達されるか又はサンプリングされる化合物又は組成物は、例えば高分子量活性物質、例えばタンパク質、ペプチド及び／又は核酸を含み得る。
【００９１】
或る種の実施形態では、化合物又は組成物は、生体界面に、生体界面の中に、又は生体界面を介して、活性物質を送達するために、電源に電気的に結合された作用側電極構造体及び対向電極構造体を含むイオントフォレーシス装置により送達され得る。作用側電極構造体は、以下のものを包含する：電源の正電極に接続される第一の電極部材、第一の電極部材と接触し、そして第一の電極部材を介して電圧を印加される活性物質溶液を有する活性物質貯留槽、マイクロニードルアレイであり得、活性物質貯留槽の前面に対面して配置される生体界面接触部材、並びにこれらの部材を収容する第一のカバー又は容器。対向電極構造体は、以下のものを包含する：電源の負電極に接続される第二の電極部材、第二の電極部材と接触し、そして第二の電極部材を介して電圧が印加される電解質を担持する電解質貯留槽、並びにこれらの部材を収容する第二のカバー又は容器。
【００９２】
或る種の他の実施形態では、化合物又は組成物は、生体界面に、生体界面の中に、又は生体界面を介して、活性物質を送達するために、電源に電気的に結合された作用側電極構造体及び対向電極構造体を含むイオントフォレーシス装置により送達され得る。作用側電極構造体は、以下のものを包含する：電源の正電極に接続される第一の電極部材、第一の電極部材と接触し、そして第一の電極部材を介して電圧を印加される電解質を有する第一の電解質貯留槽、第一の電解質貯留槽の前面に配置される第一の陰イオン交換膜、第一の陰イオン交換膜の前面に対して配置される活性物質貯留槽、マイクロニードルアレイであり得、活性物質貯留槽の前面に対面して配置される生体界面接触部材、並びにこれらの部材を収容する第一のカバー又は容器。対向電極構造体は、以下のものを包含する：電源の負電極に接続される第二の電極部材、第二の電極部材と接触し、そして第二の電極部材を介して電圧を印加される電解質を担持する第二の電解質貯留槽、第二の電解質貯留槽の前面に配置される陽イオン交換膜、陽イオン交換膜の前面に対して配置され、そして第二の電解質貯留槽及び陽イオン交換膜を介して第二の電極部材から電圧が提供される電解質を担持する第三の電解質貯留槽、第三の電解質貯留槽の前面に対して配置される第二の陰イオン交換膜、並びにこれらの部材を収容する第二のカバー又は容器。
【００９３】
マイクロニードル装置、それらの使用及び製造についての或る程度の詳細は、米国特許第６，２５６，５３３号、同第６，３１２，６１２号、同第６，３３４，８５６号、同第６，３７９，３２４号、同第６，４５１，２４０号、同第６，４７１，９０３号、同第６，５０３，２３１号、同第６，５１１，４６３号、同第６，５３３，９４９号、同第６，５６５，５３２号、同第６，６０３，９８７号、同第６，６１１，７０７号、同第６，６６３，８２０号、同第６，７６７，３４１号、同第６，７９０，３７２号、同第６，８１５，３６０号、同第６，８８１，２０３号、同第６，９０８，４５３号及び同第６，９３９，３１１号（これらの記載内容はすべて、参照により本明細書中で援用される）に開示されている。その中の教示のいくつか又はすべてが、マイクロニードル装置、それらの製造、並びにイオントフォレーシス用途におけるそれらの使用に適用され得る。
【００９４】
上記の様々な実施形態を組合せて、さらなる実施形態を提供することができる。本明細書で言及され、且つ／又は出願データシートに列挙されるすべての米国特許、米国特許出願公開、米国特許出願、外国特許、外国特許出願及び非特許出版物は、下記に列記のものを非限定的に含めて、その全体が参照により本明細書に組み込まれる。
特許第３０４０５１７号として２０００年３月３日に発行され、特開平０４−２９７２７７号公報を有する１９９１年３月２７日に出願された特願平０３−８６００２号公報、特開２０００−２２９１２８号公報を有する１９９９年２月１０日に出願された特願平１１−０３３０７６号公報、特開２０００−２２９１２９号公報を有する１９９９年２月１２日に出願された特願平１１−０３３７６５号公報、特開２０００−２３７３２６号公報を有する１９９９年２月１９日に出願された特願平１１−０４１４１５号公報、特開２０００−２３７３２７号公報を有する１９９９年２月１９日に出願された特願平１１−０４１４１６号公報、特開２０００−２３７３２８号公報を有する１９９９年２月２２日に出願された特願平１１−０４２７５２号公報、特開２０００−２３７３２９号公報を有する１９９９年２月２２日に出願された特願平１１−０４２７５３号公報、特開２０００−２８８０９８号公報を有する１９９９年４月６日に出願された特願平１１−０９９００８号公報、特開２０００−２８８０９７号公報を有する１９９９年４月６日に出願された特願平１１−０９９００９号公報、ＰＣＴ公開番号ＷＯ０３０３７４２５を有する２００２年５月１５日に出願されたＰＣＴ特許出願ＷＯ２００２ＪＰ４６９６、２００４年３月９日に出願された米国特許出願第１０／４８８９７０号、２００４年１０月２９日に出願された特願２００４／３１７３１７号公報、２００５年９月３０日に出願された米国仮特許出願第６０／７２２，２９８号、２００４年１１月１６日に出願された米国仮特許出願第６０／６２７，９５２号、２００４年１１月３０日に出願された特願２００４−３４７８１４号公報、２００４年１２月９日に出願された特願２００４−３５７３１３号公報、２００５年２月３日に出願された特願２００５−０２７７４８号公報、２００５年３月２２日に出願された特願２００５−０８１２２０号公報。
【００９５】
関連する技術分野の専門家が理解するように、本明細書における開示は本明細書に記載された任意の化合物及び／又は方法によって対象を治療する方法を含む。
【００９６】
種々の実施形態の態様は、必要な場合、さらなる実施形態を提供するために種々の特許、出願及び出版物のシステム、回路及び概念を用いるように変形され得る。いくつかの実施形態は、上記の膜、貯留槽及びその他の構造のすべてを包含し得るが、他の実施形態は、膜、貯留槽又は他の構造のいくつかを省略し得る。さらなる他の実施形態は、一般的に上記した膜、貯留槽及び構造の付加的なものを用いることができる。さらなる実施形態は、一般的に上記した膜、貯留槽及び構造の付加的なものを用いながら、上記の膜、貯留槽及び構造のいくつかを省略することができる。
【００９７】
上記の詳細な記載にかんがみて、様々な変更が為され得る。概して、添付の特許請求の範囲においては、用いられる用語は、本明細書及び添付の特許請求の範囲に開示される特定の実施形態に限定するように解釈されるべきでなく、添付の特許請求の範囲に従って動作するすべてのシステム、装置及び／又は方法を含むように解釈されるべきである。したがって本発明は本開示により限定されなるものでなく、その範囲は添付の特許請求の範囲により専ら確定されるべきものである。
【００９８】
本明細書で言及され、且つ／又は出願データシートに列挙されるすべての米国特許、米国特許出願公開、米国特許出願、外国特許、外国特許出願及び非特許出版物は、その全体が参照により本明細書に組み込まれる。
【００９９】
上記した所から、例示の目的で特定の実施形態及び実施例が本明細書に記載されているが、本発明の精神及び範囲を逸脱しない限り、種々の等価の改変がなされ得る。従って、本発明は添付特許請求の範囲による場合を除いて限定を受けない。
【図面の簡単な説明】
【０１００】
【図１】一例示的実施形態による作用側電極構造体及び対向電極構造体を含むイオントフォレーシス装置のブロック図であって、この場合、作用側電極構造体は保持構造、多数の活性物質貯留槽、活性物質を貯蔵する最外部膜、最外部膜の外表面に付着される活性物質、並びに活性物質及び最外部膜の上に重なるか又は被覆する除去可能な外部リリースライナーを包含する。
【図２】生体界面上に配置される図１のイオントフォレーシス装置であって、一例示的実施形態により活性物質を露出させるように外部リリースライナーが除去された状態のイオントフォレーシス装置のブロック図。
【図３】図１の保持構造の等角投影図であって、１つの活性物質貯留槽が保持構造の収容部への挿入に位置づけられた状態の複数の活性物質貯留槽
【図４】別の例示的実施形態による作用側電極構造体及び対向電極構造体を含むイオントフォレーシス装置のブロック図であって、この場合、作用側電極構造体は、少なくとも２つの横方向に離間された収容部を有する保持構造、横方向に離間された収容部内に挿入可能に確保される少なくとも２つの活性物質貯留槽、並びに水和剤及び／又は活性物質のブリスターを有するブリスターパックを包含する。
【図５】イオントフォレーシス装置の作用側電極構造体の部分的分解ブロック図であって、少なくとも２つの横方向に離間された収容部を有する保持構造、少なくとも２つの活性物質貯留槽、並びにブリスターパックを有し、活性物質貯留槽のうちの一方が挿入のために配置され、そしてブリスターパックが活性物質貯留槽の外表面と接触するよう配置された状態。
【図６】作用側電極構造体における保持構造の底部平面図であって、少なくとも２つの活性物質貯留槽を示す。
【図７】ブリスターパックの上部平面図であって、少なくとも２つのブリスター及び配列メカニズムを示す。
【図１】
2009509691.tif 000003
【図２】
2009509691.tif 000004
【図３】
2009509691.tif 000005
【図４】
2009509691.tif 000006
【図５】
2009509691.tif 000007
【図６】
2009509691.tif 000008
【図７】
2009509691.tif 000009
【国際調査報告】
2009509691.tif 000010
2009509691.tif 000011